(57)【要約】      （修正有）【課題】陳列棚やショーケースなどの構造体への取付け性に優れるとともに、様々な表示形態を得ることができる表示物の保持装置を提供する。【解決手段】基板１の背面に、概略平板状の第１保持片Ｆ１と、反第１保持片側に屈曲した概略鉤状の第２保持片Ｆ２を備え、両保持片Ｆ１，Ｆ２の間で第１保持溝Ｇ１を形成すると共に、基板１と第２保持片Ｆ２の間で第２保持溝Ｇ２を形成し、基板１の正面に、表示物Ｂ１の取付け手段Ｓ１を備えた。【選択図】図１
2006023616.tif 000002
【特許請求の範囲】
【請求項１】
構造体に取付けて広告等の表示物を保持する装置であって、基板の背面に、同背面から突出した概略平板状の第１保持片と、同背面から突出して反第１保持片側に屈曲した概略鉤状の第２保持片を備え、両保持片の間で第１保持溝を形成すると共に、基板と第２保持片の間で第２保持溝を形成し、基板の正面に、表示物の取付け手段を備えたことを特徴とする表示物の保持装置。
【請求項２】
取付け手段が、表示物側の球面状凸部と係合する球面状凹部を備えていることを特徴とする請求項１に記載の表示物の保持装置。
【請求項３】
取付け手段が、表示物側の球面状凹部と係合する球面状凸部を備えていることを特徴とする請求項１に記載の表示物の保持装置。
【請求項４】
取付け手段が、基板の正面から突出して上向きに屈曲した鉤部を備えていることを特徴とする請求項１に記載の表示物の保持装置。
【発明の詳細な説明】
【技術分野】
【０００１】
本発明は、例えば商品の陳列棚等の構造体に対して、商品の広告等の表示物を保持しておくのに用いられる表示物の保持装置に関するものである。
【背景技術】
【０００２】
近年、商品やサービスの宣伝・広告を省スペースで行うことができ、消費者の購買意欲を喚起するためのものとして、いわゆるＰＯＰ用品が種々開発されており、その中の一つに、例えば商品の陳列棚やショーケース等の各種構造体に取付けて、商品の広告や値札等の表示物を保持するための保持装置がある。
【発明の開示】
【発明が解決しようとする課題】
【０００３】
ところで、従来の表示物の保持装置にあっても、様々なものが実用化されているが、広告類の表示は極めて多種多様であることから、この種の装置に対する要望が留まることはなく、表示機能を高めるうえでのさらなる開発が求められている。
【０００４】
そこで、本発明は、上記従来の状況に鑑みて成されたもので、構造体への取付け性に優れると共に、様々な表示形態を得ることができる表示物の保持装置を提供することを目的としている。
【課題を解決するための手段】
【０００５】
本発明の表示物の保持装置は、請求項１として、構造体に取付けて広告等の表示物を保持する装置であって、基板の背面に、同背面から突出した概略平板状の第１保持片と、同背面から突出して反第１保持片側に屈曲した概略鉤状の第２保持片を備え、両保持片の間で第１保持溝を形成すると共に、基板と第２保持片の間で第２保持溝を形成し、基板の正面に、表示物の取付け手段を備えた構成とし、請求項２として、取付け手段が、表示物側の球面状凸部と係合する球面状凹部を備えている構成とし、請求項３として、取付け手段が、表示物側の球面状凹部と係合する球面状凸部を備えている構成とし、請求項４として、取付け手段が、基板の正面から突出して上向きに屈曲した鉤部を備えている構成としており、上記構成をもって従来の課題を解決するための手段としている。
【０００６】
なお、当該保持装置は、例えば樹脂製とすることで、基板背面における第１及び第２の保持片を容易に弾性変形させることが可能となり、構造体の形状に応じて、第１及び第２の保持片や第１及び第２の保持溝を選択的に使用する。また、基板正面における取付手段としては、例えば、基板と一体化したもの、基板と別体の単一の部材又は複数の部材によるもの、及びこれらを組合わせたものがある。
【発明の効果】
【０００７】
本発明の請求項１に係わる表示物の保持装置によれば、基板表面の取付け部に広告等の表示物を取付けた状態にして、レール状の構造体に対して第１及び第２の保持片を係止、又は略水平な板状の構造体の端部に対して第１保持溝を嵌合、又は略垂直な板状の構造体の上端部に対して第２保持溝を嵌合することが可能であり、構造物の形状に応じて第１及び第２の保持片や第１及び第２の保持溝を選択的に使用して表示物を保持することで、様々な表示形態を得ることができる。
【０００８】
本発明の請求項２に係わる表示物の保持装置によれば、球面状凸部を設けた表示物を対象にして、保持し得る表示物の種類を大幅に増大させることができ、また、球面状凸部と球面状凹部との係合部分を摺動させて、表示物の保持角度を自在に調整することができ、より多様な表示形態を得ることができる。
【０００９】
本発明の請求項３に係わる表示物の保持装置によれば、球面状凹部を設けた表示物を対象にして、保持し得る表示物の種類を大幅に増大させることができ、また、球面状凹部と球面状凸部との係合部分を摺動させて、表示物の保持角度を自在に調整することができ、より多様な表示形態を得ることができる。
【００１０】
本発明の請求項４に係わる表示物の保持装置によれば、上向きの鉤部により、例えば、シート状の表示物を挟んだり箱状の表示物を係止したりすることができ、保持し得る表示物の種類を増大させることができると共に、より多様な表示形態を得ることができる。
【実施例】
【００１１】
図１は本発明に係わる表示物の保持装置の一実施例を示す図である。
図示の保持装置Ｈ１は、構造体Ａ１に取付けて広告等の表示物Ｂ１を保持する装置であって、矩形状の基板１の背面に、同背面から突出した概略平板状の第１保持片Ｆ１と、同背面から突出して反第１保持片側（下側）に屈曲した概略鉤状の第２保持片Ｆ２を上下に備えており、両保持片Ｆ１，Ｆ２の間で、基板左右方向及び後方に開放された第１保持溝Ｇ１を形成すると共に、基板１と第２保持片Ｆ２の間で、基板左右方向及び下方に開放された第２保持溝Ｇ２を形成している。
【００１２】
第１及び第２の保持片Ｆ１，Ｆ２は、第１保持溝Ｇ１を形成する互いの対向部分に、後記する構造体への装着性を高めるための凸部２，３を有すると共に、各々の先端部に、互いに逆方向へ突出した係止爪４，５を有している。また、第２の保持片Ｆ２は、第２保持溝Ｇ２を形成する部分が、後記する構造体への装着性を高めるために、基板１側に向けて湾曲した状態になっている。
【００１３】
さらに、基板１の正面には、表示物Ｂ１の取付け手段Ｓ１を備えており、この実施例における取付け手段Ｓ１は、表示物Ｂ１側に設けた球面状凸部６と係合する球面状凹部７を備えている。ここで、保持装置Ｈ１は、合成樹脂製であって、射出成形により各部位を一体的に成形することができると共に、構造体Ａ１への取付けに際して各保持片Ｆ１，Ｆ２が弾性変形し得るものとなっている。
【００１４】
なお、図１に示す構造体Ａ１は、例えば商品の陳列棚であって、その正面には、扁平な凹状の断面を有するレールＲが横方向にわたって設けてある。また、図１に示す表示物Ｂ１は、平板状を成すものであって、背面に先述の球面状凸部６が設けてあり、表面に商品の宣伝や価格を表示し得るものとなっている。
【００１５】
上記の保持装置Ｈ１は、図２（ａ）にも示すように、構造体Ａ１のレールＲに各保持片Ｆ１，Ｆ２の係止爪４，５を係止することで、構造体Ａ１に簡単に且つ確実に取付けて表示物Ｂ１を保持し得ると共に、その状態でレールＲの長手方向に自由に位置調整することができ、さらに、球面状凸部６と球面状凹部７との係合部分で互いに摺動し得るので、表示物Ｂ１の向きを自在に変更することができる。
【００１６】
また、保持装置Ｈ１は、図２（ｂ）に示すように、略水平な平板状の構造体Ａ２に対して、その端部に第１保持溝Ｇ１を嵌合することで、同構造体Ａ２に取付けて表示物Ｂ１を保持することができ、さらに、図２（ｃ）に示すように、略垂直な平板状の構造体Ａ３に対して、その上端部に第２保持溝Ｇ２を嵌合することで、同構造体Ａ３に取付けて表示物Ｂ１を保持することができる。
【００１７】
このように、当該保持装置Ｈ１は、異なる構造物Ａ１〜Ａ３に応じて、第１及び第２の保持片Ｆ１，Ｆ２や第１及び第２の保持溝Ｇ１，Ｇ２を選択的に使用することができるうえに、球面状凸部６及び球面状凹部７を介して表示物Ｂ１を回動可能に保持したことにより、様々な表示形態を得ることができる。
【００１８】
図３は、本発明に係わる表示物の保持装置の他の実施例を示す図である。なお、先の実施例と同一の構成部位は、同一符号を付して詳細な説明を省略する。
図示の保持装置Ｈ２は、基板１の正面に設けた取付け手段Ｓ２が、表示物Ｂ１側に設けた球面状凹部７と係合する球面状凸部６を備えたものとなっており、先の実施例と同様の効果を得ることができる。
【００１９】
図４は、本発明に係わる表示物の保持装置のさらに他の実施例を示す図である。なお、先の実施例と同一の構成部位は、同一符号を付して詳細な説明を省略する。
図示の保持装置Ｈ３は、基板１の正面に設けた取付け手段Ｓ３が、基板１の正面から突出して上向きに屈曲した二つの鉤部８，８を備えたものとなっている。この保持装置Ｈ３は、構造体への取付けに際して、先の実施例と同様の効果が得られると共に、鉤部８に対して、シート状の表示物Ｂ２を挟んだり、図中仮想線で示す箱状の表示物Ｂ３を係止したりすることができ、保持し得る表示物の種類を増大させて、より多様な表示形態を得ることができる。なお、箱状の表示物Ｂ３を係止する場合には、図示の如く表示物Ｂ３の背面に開口部９を形成し、この開口部９を鉤部８に係止する。
【００２０】
図５は、本発明に係わる表示物の保持装置のさらに他の実施例を示す図である。なお、先の実施例と同一の構成部位は、同一符号を付して詳細な説明を省略する。
図示の保持装置Ｈ４は、基板１の正面に設けた取付け手段Ｓ４が、基板正面に一体成形した球面状凹部７と、両端に係合ボール１０を設けた針金１１と、球面状凹部７を設けたシート挟み１２を備えており、針金１１の各係合ボール１０を基板１及びシート挟み１２の球面状凹部７に夫々係合し、シート挟み１２でシート状の表示物Ｂ２を保持する。
【００２１】
上記の保持装置Ｈ４は、構造体への取付けに際して、先の実施例と同様の効果が得られると共に、表示物Ｂ２の着脱が極めて簡単であり、また、球面状凹部７と係合ボール１０との係合部分を二箇所に備えているので、表示物Ｂ３の姿勢変更に対する自由度がより高められたものとなり、様々な表示形態を得ることができる。
【００２２】
図６は、本発明に係わる表示物の保持装置のさらに他の実施例を示す図である。なお、先の実施例と同一の構成部位は、同一符号を付して詳細な説明を省略する。
図示の保持装置Ｈ５は、基板１の正面に設けた取付け手段Ｓ５が、基板正面に一体成形した球面状凹部７と、球面状凸部６を設けたクリップ１３を備えており、球面状凹部７と球面状凸部６を係合し、クリップ１３によりシート状の表示物Ｂ２を保持する。
【００２３】
上記の保持装置Ｈ５は、構造体への取付けに際して、先の実施例と同様の効果が得られると共に、クリップ１３を採用したことで、表示物Ｂ３の着脱が極めて簡単であると共に、表示物Ｂ３を確実に保持することができ、さらに、シート状以外の表示物を保持することも充分に可能である。
【００２４】
図７は、本発明に係わる表示物の保持装置のさらに他の実施例を示す図である。なお、先の実施例と同一の構成部位は、同一符号を付して詳細な説明を省略する。
図示の保持装置Ｈ６は、図１に示す保持装置Ｈ１では各保持片Ｆ１，Ｆ２の係止爪４，５が互いに逆向きであったのに対して、各保持片Ｆ１，Ｆ２の係止爪４，５が互いに向き合う状態に設けてある。この保持装置Ｈ６は、構造体Ａ４が上下に溝Ｇを有するものである場合に用いられ、上下の溝Ｇに各係止爪４，５を係止する。このような保持装置Ｈ６では、とくに図２（ｂ）に示す平板状の構造体Ａ２と第１保持溝Ｇ１との嵌合を阻害しないように、第１保持片Ｆ１に上方への屈曲部１４を設け、この屈曲部１４の先に下向きの係止爪４を設けている。
【００２５】
なお、本発明の表示物の保持装置は、その詳細な構成が上記各実施例のみに限定されることはなく、とくに、基板正面の取付け手段には、様々な形態のものを採用することが可能であって、例えば、図１に示す表示物Ｂ１に相当する平板部材を取付け手段の一構成とし、これに表示物を貼り付けるようにしたり、球面状凹部と球面状凸部とを交互に連結して折り曲げ自在な関節体を構成したり、球面状凹部又は球面状凸部と鉤部の両方を基板に設けたりすることができる。
【図面の簡単な説明】
【００２６】
【図１】本発明に係わる表示物の保持装置の一実施例を説明する斜視図である。
【図２】異なる構造体に対する保持装置の取付けを説明する各々側面図（ａ）〜（ｃ）である。
【図３】表示物の保持装置の他の実施例を説明する斜視図である。
【図４】表示物の保持装置のさらに他の実施例を説明する斜視図である。
【図５】表示物の保持装置のさらに他の実施例を説明する斜視図である。
【図６】表示物の保持装置のさらに他の実施例を説明する斜視図である。
【図７】表示物の保持装置のさらに他の実施例を説明する側面図である。
【符号の説明】
【００２７】
Ａ１〜Ａ４  構造体
Ｂ１〜Ｂ３  表示物
Ｆ１        第１保持片
Ｆ２        第２保持片
Ｇ１        第１保持溝
Ｇ２        第２保持溝
Ｈ１〜Ｈ６  保持装置
Ｓ１〜Ｓ５  取付け手段
１          基板
６          球面状凸部（取付け手段）
７          球面状凹部（取付け手段）
８          鉤部（取付け手段）
１０        係合ボール（取付け手段）
１１        針金（取付け手段）
１２        シート挟み（取付け手段）
１３        クリップ（取付け手段）
【図１】
2006023616.tif 000003
【図２】
2006023616.tif 000004
【図３】
2006023616.tif 000005
【図４】
2006023616.tif 000006
【図５】
2006023616.tif 000007
【図６】
2006023616.tif 000008
【図７】
2006023616.tif 000009